(57)【特許請求の範囲】
【請求項１】
ケースの上面にカバーを被せ、カバーの対向する両側辺をケースに固定することでカバーをケースに取り付けるケースへのカバー取付構造において、
前記カバーの対向する両側辺の内の一方の辺から爪を突出して下方向に折り曲げ、他方の辺から折り曲げ片を突出して下方向に折り曲げ、折り曲げ片の側部に幅方向に突出するフックを設け、
前記ケースの上面にカバーを被せた際に前記爪の先端をケース裏面に折り曲げるとともに、前記折り曲げ片に設けたフックを前記ケース側面に設けた突起の下側に係合することで、カバーをケースに取り付けることを特徴とするケースへのカバー取付構造。
【請求項２】
請求項１に記載のケースへのカバー取付構造において、
前記ケース側面の突起の下側に、ケース側面に対して斜めに傾斜して突起の下側に係合したフックをさらにケース側に向けて折り曲げた際にフックの上辺が当接する形状の当接面を設けたことを特徴とするケースへのカバー取付構造。
【請求項３】
請求項２に記載のケースへのカバー取付構造において、
前記ケースの前記突起を設けた側の側面の角の縦辺を面取りすることによってフック逃げ面を形成するとともに、このフック逃げ面と前記突起の下面との間を接続し且つフック逃げ面と突起の下面の両者に対して傾斜するように前記当接面を設けたことを特徴とするケースへのカバー取付構造。
【発明の詳細な説明】
【０００１】
【発明の属する技術分野】
本発明は、電子部品等のケースにカバーを取り付けるのに好適なケースへのカバー取付構造に関するものである。
【０００２】
【従来の技術】
従来、摺接パターンを形成した基板を収納したケース内に摺動子を取り付けた摺動型物を収納し、その上をカバーで塞いだ構造の電子部品が使用されている。そしてケースの外部に突出した摺動型物のレバーを操作することでケース内の摺動型物を移動させ、これによって摺動子を摺接パターンに摺接させてその出力を変化する。
【０００３】
ここで図８は前記ケースにカバーを取り付ける取付構造の要部を示す図であり、同図（ａ）は取り付け前の状態、同図（ｂ）は取り付け後の状態を示している。同図に示すようにケース８０へのカバー９０の取り付けは、モールド樹脂製のケース８０の上面に金属板製のカバー９０を被せ、カバー９０の外周辺から突出する折り曲げ片９１をケース８０の側面８１に矢印Ａ方向に向けて折り曲げることで同図（ｂ）に示すように折り曲げ片９１の下部に設けたフック９３をケース８０の側面８１に設けた突起８３の下側に係合させることによって行っていた。
【０００４】
しかしながら上記従来の取り付け構造は、折り曲げ片９１を折り曲げることによってフック９３を突起８３の下側に係合させる構造なので、フック９３の上辺９３ａが突起８３の先端を越える必要があり、このため突起８３の下側に係合したフック９３の上辺９３ａと突起８３の下面との間に隙間Ｂが生じてその取り付けにガタが生じてしまうという問題点があった。一方前記ガタが生じないようにするためにはフック９３の上辺９３ａがちょうど突起８３の下面に当接する寸法に設計する必要があるが、そうするとフック９３が突起８３の先端を通過する際にフック９３の上辺９３ａが突起８３の先端に当たってこれを削り、切り粉を生じ、これによって電気的不良が発生する問題があった。
【０００５】
【発明が解決しようとする課題】
本発明は上述の点に鑑みてなされたものでありその目的は、ケースにカバーを容易且つ確実にガタなく取り付けることができるケースへのカバー取付構造を提供することにある。
【０００７】
【課題を解決するための手段】
上記問題点を解決するため本発明は、ケースの上面にカバーを被せ、カバーの対向する両側辺をケースに固定することでカバーをケースに取り付けるケースへのカバー取付構造において、前記カバーの対向する両側辺の内の一方の辺から爪を突出して下方向に折り曲げ、他方の辺から折り曲げ片を突出して下方向に折り曲げ、折り曲げ片の側部に幅方向に突出するフックを設け、前記ケースの上面にカバーを被せた際に前記爪の先端をケース裏面に折り曲げるとともに、前記折り曲げ片に設けたフックを前記ケース側面に設けた突起の下側に係合することで、カバーをケースに取り付けることを特徴とする。
【０００８】
【発明の実施の形態】
以下、本発明の実施の形態を図面を参照して詳細に説明する。
図１は本発明を適用したスライド式可変抵抗器１の分解斜視図である。同図に示すようにこのスライド式可変抵抗器１は、基板１０を内蔵したケース３０と、摺動子５０を取り付けた摺動型物４０と、ケース３０を覆う形状のカバー６０とを具備して構成されている。以下各構成部品について説明する。
【０００９】
ここで図２はケース３０の概略断面図である。同図において基板１０はフレキシブル基板であり、その下面に金属板製の補強板２０を取り付けた状態でその周囲にモールド樹脂製のケース３０を成形して構成されている。基板１０上には図１に示すように長手方向に直線状に伸びる複数本の導電パターン１１が設けられ、その一端部には金属端子板１３が接続されている。金属端子板１３はケース３０から外部に突出している。
【００１０】
ケース３０の長手方向の一方の側壁には、下記する摺動型物４０のレバー４３を突出する長溝３１が設けられている。またケース３０の金属端子板１３を突出した側の側壁の下面の左右両側には下記するカバー６０の２本の爪６１，６１を係合する凹状の係合部３３，３３（図１では手前側のもののみ示している）が設けられている。
【００１１】
一方ケース３０の係合部３３を設けた側の反対側の側壁には、その左右両側の上部にそれぞれ突起３５，３５を設けている。ここで図３は手前側の突起３５を下側から見た要部拡大斜視図である。同図に示すように突起３５の下側にはテーパ状の当接面３７とテーパ状のフック逃げ面３９とが形成されている。フック逃げ面３９はケース３０側壁の角の縦辺を面取りすることによって形成されている。一方当接面３７は突起３５の下面とフック逃げ面３９の間を接続するように、突起３５の下面に対しても傾斜し、同時にフック逃げ面３９に対しても傾斜するように形成されている。
【００１２】
図１に戻って摺動型物４０は前記ケース３０の内部にスライド自在に収納される形状の本体部４１と、本体部４１の一側面から突出するレバー４３とを一体成形して構成されている。本体部４１の下面には前記基板１０の導電パターン１１に摺接する接点部５１を設けた金属板製の摺動子５０が取り付けられている。
【００１３】
カバー６０は金属板を略矩形状に形成し、対向する短い方の両側辺の一方の辺の両端近傍から爪６１，６１を突出して下方向に折り曲げ、他方の辺から１枚の折り曲げ片６３を突出して下方向に折り曲げて構成されている。折り曲げ片６３の両側には幅方向に突出するフック６５，６５が設けられている。フック６５とカバー６０の上面の間には隙間６７が形成されている。
【００１４】
そしてこのスライド式可変抵抗器１を組み立てるには、ケース３０内に摺動型物４０の本体部４１を収納し、その上にカバー６０を被せて図４に示す状態にする。そして爪６１，６１の先端を折り曲げてケース３０裏面の係合部３３に挿入する。さらに反対側の折り曲げ片６３に設けたフック６５は図５に示すように突起３５の下側に挿入されているが、フック６５は突起３５の上から被せられるように挿入されるので、突起３５の下面とフック６５の上辺６５ａとの間には僅かな隙間Ｃが生じており、このままではケース３０とカバー６０間にはガタが生じる。
【００１５】
そこで本発明においては図６に示すように前記フック６５をさらにケース３０側（フック逃げ面３９側）に向けて折り曲げ、フック６５の上辺６５ａを当接面３７に当接する。これによってカバー６０は確実にケース３０に固定され、両者間のガタはなくなる。図７は以上のようにして組み立てられたスライド式可変抵抗器１を示す斜視図である。
【００１６】
ところで本実施形態においてカバー６０のケース３０への取り付け手段として、一方を爪６１、他方をフック６５としたのは以下の理由による。即ち両側とも爪６１で固定するのであれば、カバー６０とケース３０間にガタは生じない。しかしながらこの実施形態においては、ケース３０の小型・薄型化のため、ケース３０を構成するモールド樹脂の各部の厚みを薄く構成している。それでも図２に示すようにケース３０から金属端子板１３を突出している部分は、金属端子板１３の固定のためにモールド樹脂の厚みを厚くしているので、ケース３０の下面に凹状の係合部３３（図１参照）を設ける余裕があり、爪６１を使用できる。しかしながらその反対側はその下面に補強板２０が配置されていることもあって凹部を設けるスペースがない。そこで爪６１の代わりに突起３５とフック６５の係合機構を用いたのである。言い換えればケース３０とカバー６０の取り付け機構に突起３５とフック６５の係合機構を用いたので、例えケース３０各部の厚みを薄くしてその強度が弱くなったり爪を係合する凹部を設けられなくなっても、容易にケース３０にカバー６０を取り付けることができる。従って場合によってはカバー６０とケース３０の両側の取り付け手段の何れをも突起３５とフック６５による取り付け構造としてもよい。
【００１７】
以上本発明の実施形態を説明したが、本発明は上記実施形態に限定されるものではなく、特許請求の範囲、及び明細書と図面に記載された技術的思想の範囲内において種々の変形が可能である。なお直接明細書及び図面に記載がない何れの形状や構造や材質であっても、本願発明の作用・効果を奏する以上、本願発明の技術的思想の範囲内である。例えば上記実施形態では本発明をスライド式可変抵抗器に用いた例を示したが、スライド式スイッチやその他の各種電子部品に用いてもよいことは言うまでもない。要は、ケースの上面にカバーを被せ、カバーの外周に設けた折り曲げ片をケースの側面に折り曲げて折り曲げ片に設けたフックをケース側面に設けた突起の下側に係合させることでカバーをケースに取り付けるケースへのカバー取付構造であれば、どのような部分にも適用できる。
【００１８】
【発明の効果】
以上詳細に説明したように本発明によれば、ケース側面の突起の下側に係合したフックをさらにケース側に向けて折り曲げることでフックの上辺をケースの当接面に当接させたので、ケースにカバーを容易且つ確実にガタなく取り付けることができる。
【００１９】
また本発明によれば、ケースへのカバー取付構造において、フックと突起の係合機構を用いたので、たとえ小型化のためにケース各部の厚みを薄くしても、容易にケースにカバーを取り付けることができる。
【図面の簡単な説明】
【図１】本発明を適用したスライド式可変抵抗器１の分解斜視図である。
【図２】ケース３０の概略断面図である。
【図３】突起３５を下側から見た要部拡大斜視図である。
【図４】スライド式可変抵抗器１の組立方法の説明図である。
【図５】スライド式可変抵抗器１の組立方法の説明図である。
【図６】スライド式可変抵抗器１の組立方法の説明図である。
【図７】組み立てられたスライド式可変抵抗器１を示す斜視図である。
【図８】ケース８０にカバー９０を取り付ける取付構造の要部を示す図である。
【符号の説明】
１  スライド式可変抵抗器
１０  基板
１１  導電パターン
１３  金属端子板
２０  補強板
３０  ケース
３１  長溝
３３  係合部
３５  突起
３７  当接面
３９  フック逃げ面
４０  摺動型物
４１  本体部
４３  レバー
５０  摺動子
５１  接点部
６０  カバー
６１  爪
６３  折り曲げ片
６５  フック
６５ａ  上辺
【図１】
0004368057.tif 000002
【図２】
0004368057.tif 000003
【図３】
0004368057.tif 000004
【図４】
0004368057.tif 000005
【図５】
0004368057.tif 000006
【図６】
0004368057.tif 000007
【図７】
0004368057.tif 000008
【図８】
0004368057.tif 000009